(57)【要約】      （修正有）【課題】投げ放った玩具本体を確実に手元に戻すことができる捕獲玩具を提供する。【解決手段】紐４０の先端部を手に係止した状態で玩具本体１０をターゲットに向けて投げ放ってターゲットを捕獲するように構成された捕獲玩具であって、玩具本体１０に紐４０を巻回及び繰出し可能なリール２３と、ゼンマイばね２４とを備え、玩具本体１０を投げ放った後に、ゼンマイばね２４によってリール２３を所定方向に回転させて紐をリール２３で巻き取る。【選択図】図２
0003235038.tif 000002
【実用新案登録請求の範囲】
【請求項１】
ターゲットと、片手で握れる程度の大きさに構成されると共に前記ターゲットとの接近
又は当接によって該ターゲットを捕獲可能な捕獲手段が設けられた玩具本体と、伸び縮み
しない素材からなり前記玩具本体に基端部が係止され先端部が遊戯者の手によって係止さ
れる紐とを備え、遊戯者が前記紐の先端部を手に係止した状態で前記玩具本体を前記ター
ゲットに向けて投げ放って該ターゲットを捕獲するように構成された捕獲玩具であって、
前記玩具本体の内部には、
所定の軸を中心に回転可能に構成されると共に、前記紐の基端部が係止され一方向の回
転によって前記紐が巻回可能で他方向の回転によって前記紐が繰出し可能なリールと、
前記所定の軸に一端部が係止され他端部が前記リールに係止され、遊戯者が前記紐の先
端部を手に係止した状態で前記玩具本体が手元に存在するよう前記紐が巻回状態となる初
期位置に前記リールを保持し、遊戯者が前記紐の先端部を手に係止した状態で該玩具本体
を投げ放った際に前記リールの前記他方向への一時的な回転を許容した後前記リールを初
期位置に復帰させるゼンマイばねと、が設けられている、
ことを特徴とする捕獲玩具。
【考案の詳細な説明】
【技術分野】
【０００１】
本考案は、捕獲玩具に関するものである。
【背景技術】
【０００２】
従来、捕獲玩具として、ターゲットと、片手で握れる程度の大きさに構成されると共に
ターゲットとの当接によって該ターゲットを捕獲可能な捕獲手段が設けられた玩具本体と
、玩具本体に一端部が係止され他端部が遊戯者の手によって係止されるゴム紐とを備える
捕獲玩具が知られている（例えば、特許文献１）。
この捕獲玩具は、遊戯者が紐の一端部を手に係止した状態で玩具本体をターゲットに向
けて投げ放って、玩具本体の捕獲手段をターゲットに当接させて該ターゲットを捕獲する
ようになっている。
【先行技術文献】
【特許文献】
【０００３】
【特許文献１】実用新案登録第３０４８３４２号公報 （図１参照）
【考案の概要】
【考案が解決しようとする課題】
【０００４】
上記捕獲玩具においては、所定の長さのゴム紐の一端部を手の指に係止し、そのゴム紐
をゴムの弾性力に抗して伸張させることによって玩具本体をターゲットに向けて投げ放す
ようになっている。
そのため、上記捕獲玩具では、所定の方向に玩具本体を投げ放たないと、玩具本体がう
まく手元には戻らず、反動で戻ってきた玩具本体を手で掴めないばかりか、戻ってきた玩
具本体が人の身体（手以外の部分）に当たったりするという問題がある。
【０００５】
本考案は、かかる実情に鑑みてなされたものであり、投げ放った玩具本体を確実に手元
に戻すことができる捕獲玩具を提供することを目的とする。
【課題を解決するための手段】
【０００６】
請求項１の考案は、
ターゲットと、片手で握れる程度の大きさに構成されると共に前記ターゲットとの接近
又は当接によって該ターゲットを捕獲可能な捕獲手段が設けられた玩具本体と、伸び縮み
しない素材からなり前記玩具本体に基端部が係止され先端部が遊戯者の手によって係止さ
れる紐とを備え、遊戯者が前記紐の先端部を手に係止した状態で前記玩具本体を前記ター
ゲットに向けて投げ放って該ターゲットを捕獲するように構成された捕獲玩具であって、
前記玩具本体の内部には、
所定の軸を中心に回転可能に構成されると共に、前記紐の基端部が係止され一方向の回
転によって前記紐が巻回可能で他方向の回転によって前記紐が繰出し可能なリールと、
前記所定の軸に一端部が係止され他端部が前記リールに係止され、遊戯者が前記紐の先
端部を手に係止した状態で前記玩具本体が手元に存在するよう前記紐が巻回状態となる初
期位置に前記リールを保持し、遊戯者が前記紐の先端部を手に係止した状態で該玩具本体
を投げ放った際に前記リールの前記他方向への一時的な回転を許容した後前記リールを初
期位置に復帰させるゼンマイばねと、が設けられている、
ことを特徴とする捕獲玩具である。
【０００７】
請求項２の考案は、請求項１に記載の捕獲玩具において、前記捕獲手段は、前記玩具本
体のケースの外方に向けて進退可能となるように該玩具本体に設けられていると共に、ば
ねによって該ケースの外方に向けて付勢されていることを特徴とする。
【０００８】
請求項３の考案は、請求項１に記載の捕獲玩具において、
前記捕獲手段はホルダに設けられ、前記ホルダは前記玩具本体のケースの外方に向けて
進退可能で且つ傾動可能となるように該ケースの孔に緩く嵌合されて設けられていると共
に、ばねによって該ケースの外方に向けて付勢されていることを特徴とする。
【０００９】
請求項４の考案は、請求項１から３いずれか一項に記載の捕獲玩具において、
前記捕獲手段は永久磁石であり、磁力によって、前記ターゲットを捕獲するように構成
されていることを特徴とする。
【００１０】
請求項５の考案は、請求項４に記載の捕獲玩具において、
前記ターゲットは、前記永久磁石に吸着される磁性体と、非磁性体で形成され前記磁性
体の周辺に立設され所定方向からの前記永久磁石の前記磁性体への接近又は当接を阻害す
るリブと、を備えることを特徴とすることを特徴とする。この場合の「リブ」は、ターゲ
ットの磁性体の周方向全域に亘るものであってもよいし、周方向の一部に存在するもので
あってもよい。
【００１１】
請求項６の考案は、請求項１から４いずれか一項に記載の捕獲玩具において、
前記紐の先端部には係止部が設けられ、前記係止部は、手の指が挿入可能な無端ループ
状の指挿入部と、前記指挿入部より先端に位置し手自体が挿入可能な無端ループ状の手挿
入部とを備えることを特徴とする。
【００１２】
請求項７の考案は、請求項６に記載の捕獲玩具において、
前記手挿入部には、前記手挿入部の前記無端ループの大きさを調整可能な可動調整具が
設けられていることを特徴とする。
【考案の効果】
【００１３】
請求項１の考案によれば、紐が巻回可能なリールと、リールの回転を規制するゼンマイ
ばねとの共働によって、玩具本体を投げ放った際には玩具本体から紐が一時的に繰り出さ
れ、その後繰り出された該紐が玩具本体内に引き戻されるので、玩具本体は確実に手元に
戻ることになる。したがって、操作性に優れた捕獲玩具が実現できる。
【００１４】
請求項２の考案によれば、ばねによって捕獲手段がターゲット等に衝突する際の衝撃を
低減することができ、玩具の耐久性を高めることができる。
【００１５】
請求項３の考案によれば、斜め方向から玩具本体を投げ放った場合でも、ターゲットを
確実に捕獲することができる。
【００１６】
請求項４の考案によれば、磁力によってターゲットを捕獲するので、構造が単純になり
、安価な玩具を提供できる。
【００１７】
請求項５の考案によれば、リブの存在によって、永久磁石によりターゲットを吸着させ
るための玩具本体を投げ放つ方向が規制されるので、遊びに変化を持たせることができる
。
【００１８】
請求項６及び７の考案によれば、指挿入部及び手挿入部を備える係止具が紐の先端部に
設けられているので、遊戯者が紐の先端部を確実に係止できる。
【図面の簡単な説明】
【００１９】
【図１】本考案に係る捕獲玩具の一実施形態を概念的に示した分解斜視図である。
【図２】図１に示した捕獲玩具の断面図である。
【図３】図１におけるストラップの使用態様を示した斜視図である。
【図４】本考案に係る捕獲玩具の遊び方の一例を示した斜視図である。
【考案を実施するための形態】
【００２０】
以下に、本考案に係る捕獲玩具の一実施の形態を、図面を参照しながら説明する。
【００２１】
図１は捕獲玩具の分解斜視図、図２は玩具本体の断面図である。
この捕獲玩具１は、玩具本体１０と、伸び縮みしない紐４０と、玩具本体１０とは別体
のターゲット５０とを備えている。このうち玩具本体１０は、ターゲット５０を捕獲する
ための捕獲手段１１を備えている。
そして、この捕獲玩具１は、図３及び図４に示すように遊戯者が紐４０の一端部を手で
係止した状態で玩具本体１０をターゲット５０に向けて投げ放って、玩具本体１の捕獲手
段１１をターゲット５０に接近又は当接させて該ターゲット５０を捕獲するようになって
いる。
以下、この捕獲玩具１の詳細を説明する。
【００２２】
玩具本体１０は全体として略卵形をしている。玩具本体１０のケース１２は、前端ケー
ス１３と主ケース１４とから構成されている。ここで、「前」とは、遊戯者が遊戯のため
に玩具本体１０を握った際にターゲット５０に向けられる側をいい、掌に接触する側を「
後ろ」という。以下、同じである。
主ケース１４は二つのケース片１４ａから構成されている。二つのケース片１４ａは、
一方のケース片のねじ孔に複数のねじ１５の雄ねじ部分を挿入して他方のケース片内側の
雌ねじ１６に螺合させることによって、互いに組み付けられる。これによって、主ケース
１４が形成されている。なお、二つのケース片１４ａはねじ部以外の部分が同じ形状とな
っている。
また、主ケース１４の前端面は平面となっており、その前端面には大きな円孔１７が形
成されている。そして、主ケース１４の前端には前端ケース１３が取り付けられている。
この場合の取付けは、接着、ねじ止め又は融着等によって行われている。
一方、主ケース１４の後端には小さな円孔１８が形成されている。
【００２３】
ケース１２の内部は、主ケース１４の二つのケース片１４ａに形成された仕切り板１９
によって二つの部屋に仕切られている。
この二つの部屋のうち後部側に位置する部屋にはゼンマイばねユニット２０が収容され
固定されている。また、他方の部屋には捕獲手段１１が構成されている。
【００２４】
ゼンマイばねユニット２０は次のような構成となっている。ゼンマイばねユニット２０
のケース２１内には軸２２が固定して設けられている。軸２２にはリール２３が回転可能
に取り付けられている。リール２３内にはゼンマイばね２４が収容されている。ゼンマイ
ばね２４は一端が軸２２に係止（固定）され、他端がリール２３の内周面に係止（固定）
されている。その結果、リール２３が一方向に回転するとゼンマイばね２４が巻き締めら
れ、リール２３が他方向に回転すると巻締め状態にあるゼンマイばね２４が解ける。この
ゼンマイばね２４は、通常の状態では、遊戯者が紐４０の先端部を手で係止した状態で玩
具本体１０を握れるよう紐４０が巻回状態となる初期位置にリール２３を保持し、遊戯者
が紐４０の先端部を手で係止した状態で該玩具本体１０を投げ放った際にはリール２３の
他方向への一時的な回転を許容した後リール２３を初期位置に復帰させる。
また、リール２３には紐４０の一端部（基端部）が係止（固定）されている。そして、
紐４０は、ケース２１の孔２５から該ケース２１の外側に導かれ、さらに、ケース１２の
孔１８から該ケース１２の外側に導かれている。リール２３に一端部を係止された紐４０
は、リール２３が一方向に回転したときにリール２３に巻回可能で、リール２３が他方向
に回転したときにはリール２３から繰出し可能となっている。
【００２５】
紐４０の先端部には係止具４１が設けられている。係止具４１はストラップ４２から構
成されている。ストラップ４２は紐４０に結合具４３を介して連結されている。すなわち
、結合具４３は紐４０に固定され孔４３ａを有している。なお、ここでは、ストラップ４
２を紐４０に結合具４３を介して連結しているが、ストラップ４２を紐４０の先端部に直
接連結してもよい。
続いて、ストラップ４２の構造を説明すれば、ストラップ４２は、遊戯者の手の指が挿
入される無端ループ状の指挿入部４４と、遊戯者の手自体が挿入される無端ループ状の手
挿入部４５とを備えている。指挿入部４４は比較的短い紐の両端を結合具４６に結合する
ことにより形成されている。また、手挿入部４５は比較的長い紐の両端を結合具４６に結
合することによって形成されている。そして、手挿入部４５には、該手挿入部４５の大き
さを調整可能な可動調整具４７が設けられている。この可動調整具４７はなくてもよい。
なお、ここでは、ストラップ４２を用いて指挿入部４４及び手挿入部４５を形成したが、
指挿入部４４及び手挿入部４５が形成されればよく、紐４０自体で結び目を作り指挿入部
４４及び手挿入部４５を形成してもよい。また、紐４０とは別の紐で指挿入部４４及び手
挿入部４５を形成し、これを紐４０に連結してもよい。
このストラップ４２によれば、指挿入部４４を結合具４３の孔４３ａに挿入し、孔４３
ａから突き出た指挿入部４４によって形成される輪に手挿入部４５を挿通させることによ
ってストラップ４２が紐４０に連結されることになる。
また、このストラップ４２によれば、例えば、図３に示すようにストラップ４２が手の
甲側に来るようにして、手挿入部４５に手を挿入し、指挿入部４４に人差し指や中指を挿
入し、その後に、可動調整具４７を手挿入部４５が狭まる方向に移動させことによって、
紐４０が手に係止されることになる。
【００２６】
次に、捕獲手段１１について説明する。捕獲手段１１は永久磁石２６で構成されている
。永久磁石２６は有底筒状のホルダ２７内に収容されている。永久磁石２６は、円板２８
を介してコイルばね２９によって常時前方へ向けて付勢されている。このコイルばね２９
は、捕獲手段１１とターゲット５０との衝突時の衝撃を吸収するためのものである。
筒体２７の開口縁には、ストッパとして機能するフランジ３０が形成されている。そし
て、ホルダ２７は、前端ケース部分１３の孔１３ａから前方に突出し、フランジ３０が孔
１３ａの周縁裏側に当接している。ホルダ２７は孔１３ａに緩く嵌合しており、孔１３ａ
内で傾動することができる。このようにしたのは、玩具本体１０を斜め方向からターゲッ
ト５０に向けて投げ放った際にもホルダ２７の先端面を確実にターゲット５０に当接させ
てターゲット５０の捕獲ができるようにするためである。
【００２７】
次に、ターゲット５０について説明する。ターゲット５０は鉄板又は永久磁石等の磁性
体５１を備えている。ターゲット５０は磁性体５１以外の部分が非磁性体で形成されてい
る。このターゲット５０は上面に放射方向に延びるリブ５２を備えている。リブ５２を設
けた理由は、磁性体５１の吸着面を実質的に狭めるためである。換言すれば、リブ５２を
設けることによって、リブ５２が存在する方向の斜め上方から玩具本体１０を投げ放った
場合に該リブ５２が邪魔をしてターゲット５０を吸着できないようにするためである。こ
の場合、リブ５２の長さや幅、リブ５２の数を変更することによって、ターゲット５０を
捕獲する際の難易度を変えることができる。なお、ターゲット５０は平板状のものに限ら
ず、動物模型等の立体的なものでもよい。また、リブ５２は磁性体５１の周方向全域に亘
るものであってもよい。
【００２８】
このように構成された捕獲玩具１は、常態（通常の状態つまり不使用状態）では、ゼン
マイばね２４によって紐４０が玩具本体１０のケース１２内のリール２３に最大限巻回さ
れている。
ゲームを行なうに際しては、ターゲット５０を例えばマット６０に載置させておき、ス
トラップ４２の手挿入部４５に手自体を通し指挿入部４４に手の指を通し、玩具本体１０
を手で軽く握る。
そして、玩具本体１０をターゲット５０に向けて投げ放ち、玩具本体１０の永久磁石２
６を被覆するキャップ２７がターゲット５０に当接すると、磁力によってターゲット５０
が永久磁石２６に吸着される。その後、ターゲット５０を捕獲した玩具本体１０の紐４０
はゼンマイばね２４の付勢力によってリール２３に巻回され、それによって玩具本体１０
は、手元に戻される。
【００２９】
なお、上記実施の形態では、捕獲手段１１は磁力によってターゲット５０を捕獲するよ
うに構成されているが、粘着力によってターゲットを捕獲することも可能であるし、また
、従来技術として挙げた考案のように、ターゲットとの衝突によって捕獲手段がターゲッ
トを抱持して捕獲するものであってもよい。
【００３０】
また、捕獲されるターゲット５０についてはその上面に各種点数を表示したり、各種の
動物を表示すれば、多様な遊びができることから、より面白い捕獲玩具が実現できる。
【符号の説明】
【００３１】
１      捕獲玩具
１０    玩具本体
１１    捕獲手段  
２０    ゼンマイばねユニット  
２２    軸
２３    リール
２４    ゼンマイばね
２６    永久磁石
２７    ホルダ
４２    ストラップ
４４    指挿入部
４５    手挿入部
４７    可動調整具
５０    ターゲット
５１    磁性体
５２    リブ
【図１】
0003235038.tif 000003
【図２】
0003235038.tif 000004
【図３】
0003235038.tif 000005
【図４】
0003235038.tif 000006